(57)【要約】【課題】この発明は屋根の勾配に併せて角度調整ができる機能と、滑り止め機能を備えた、屋根足場板及び屋根材料用ステージ板水平取付装置本体をそれぞれ２個以上、足場板及びコンパネ板に取り付けて、屋根上で使用するものであります。この屋根足場板及び屋根材料用ステージ板水平取付装置を屋根の上に配置して使用すれば、安全で楽な作業ができます。【解決手段】屋根上足場板及び屋根材料用ステージ板水平取付装置本体のＵ字型連結ピンを作業する屋根勾配に合ったピン受け溝にワンタッチでセットできる機能があり簡単に屋根に取り付けられる。  この屋根足場板及び屋根材料用ステージ板水平取付装置本体に滑り止めゴムが付いており、この装置に足場板及び屋根材料用ステージ板を取り付けた上，屋根に乗せて使用すれば足場板及び屋根材料用ステージが滑る事なく水平に保たれるのを特徴とする。【選択図】  図１
2006144530.tif 000002
【特許請求の範囲】
【請求項１】
屋根の上で足場板を水平状態にして使用することができるようにした、屋根上足場板水平取付装置である。この装置は水平側と屋根勾配側のＵ字型鋼２本で構成し、片側の端を可動ピンで結び、他方の端の水平側Ｕ字型鋼にはピン受け溝加工板を取り付け、屋根勾配側には弾性部材で可動ピン側に引っ張ったＵ字型連結ピンを取り付ける。  Ｕ字型連結ピンをピン受け溝にワンタッチでセットして屋根の勾配に合わせる事のできる装置で、水平側Ｕ字型鋼の上面に足場板を足場板押さえボルトで取り付けて使用するものである。尚本装置は足場板に２箇所以上取り付け、足場板を水平にして屋根上で使用するもので、屋根にタッチする部分には滑り止め部材を貼り付ける。  持ち運び及び屋根上移動を容易にする為に、材料は軽いアルミ板又は軽量鋼板をプレス加工した屋根上足場板水平取付装置。
【請求項２】
「請求項１」に準じて、本体を屋根の材料に応じて大きく長く加工し、水平側のＵ字型鋼の上面に足場板の替わりにコンパネ板等を足場板押さえボルトで取り付けて使用する屋根材料用ステージ板水平取付装置。
【発明の詳細な説明】
【技術分野】
【０００１】  本発明は、建築時の屋根作業及び屋根の点検修理作業時に、屋根足場板及び屋根材料用ステージ板を屋根の上に水平に取り付ける装置に関するものである。
【背景技術】
【０００２】  従来の屋根上作業では、屋根の勾配に応じて身体を屋根に張り付け、滑らないように又、物を落とさないように注意をして、慎重に作業を進めていたが、身体が不安定で安全性及び作業性が大変悪く、屋根の作業計画及び作業は大変なことであった。
【発明の開示】
【発明が解決しようとする課題】
【０００３】  したがって、各メーカーとも、この屋根上の作業に対して作業性、安全性を重視して研究及び開発を行ってきたが、改良がなされなかった。本発明はこうした関係者の強い要望に答えるために発明されたものである。本装置はあらゆる屋根に使用することができ、又どのような屋根勾配に対してもワンタッチで屋根足場板及び屋根材料用ステージ板が水平に取り付ける事が可能で、安全かつ軽量な屋根上足場板水平取付装置及び屋根材料用ステージ板水平取付装置である。
【課題を解決するための手段】
【０００４】  上述の目的を達成する本発明の屋根上足場板及び屋根材料用ステージ板水平取付装置は屋根上で足場板を水平状態にして使用することができるようにしたものである。  この装置は水平側と屋根勾配側のＵ字型鋼２本で構成し、片側の端を可動ピンで結び、他方の端の水平側Ｕ字型鋼にはピン受け溝加工板を取り付け、屋根勾配側には弾性部材で可動ピン側に引っ張ったＵ字型連結ピンを取り付ける。Ｕ字型連結ピンをピン受け溝にワンタッチでセットして屋根の勾配に合わせる事のできる装置で、水平側Ｕ字型鋼の上面に足場板を足場板押さえボルトで取り付けて使用するものである。  尚本装置は足場板に２箇所以上取り付け、足場板を水平にして屋根上で使用するもので、屋根にタッチする部分には滑り止め部材を貼り付ける。  持ち運び及び屋根上移動を容易にする為に材料は軽いアルミ板又は軽量鋼板をプレス加工した屋根上足場板水平取付装置。【０００５】屋根上足場板水平取付装置を屋根の材料に応じて大きく長く加工し、水平側のＵ字型鋼の上面に足場板の替わりにコンパネ板等を足場板押さえボルトで取り付けて使用する屋根材料用ステージ板水平取付装置。
【発明の効果】
【０００６】  以上説明したように、本発明の屋根足場板及び屋根材料用ステージ板水平取付装置２個以上を足場板及びコンパネ板等に取り付けて、屋根に配置することで、足元が水平になり材料も安定して置くことが可能で、滑る心配もなく安全性、作業性が大幅に改善されます。【０００７】  あらゆる屋根に使用することができ、又どのような屋根勾配に対してもワンタッチで足場板及び屋根材料用ステージ板が水平に取り付ける事が可能で、滑らないように滑り止め部材を取り付けた屋根足場板び屋根材料用ステージ板水平取付装置である。
【発明を実施するための最良の形態】
【０００８】  以下、本発明の実施の形態を図面に基づき詳細に説明する。（イ）本体は，水平側と屋根勾配側Ｕ字型鋼の２本（１．２）で構成し、片側を可動ピン（３Ａ）で結び、水平側Ｕ字型鋼（１）の上面に，足場板（１２）を固定するための足場板押さえボルト（４）と足場板押さえ金具（５）を取り付ける。（ロ）水平側のＵ字型鋼の端に屋根勾配対応用ピン受溝加工板（６）を左右に２枚取り付ける。（ハ）屋根勾配側Ｕ字型鋼（２）の端には、弾性部材（８）で可動ピン（３Ａ）側に引っ張ったＵ字型連結ピン（７）を可動ピン（３Ｂ）で取り付け、水平側の屋根勾配対応用ピン受溝に結ぶ。（ニ）屋根勾配側のＵ字型鋼２箇所の可動ピン（３Ａ．３Ｂ）の外側に半月（Ｕ字型鋼）の自在プレート（９．１０）を取り付ける。（ホ）半月（Ｕ字型鋼）の自在プレート（９．１０）の下に滑り止め部材（１１）を取り付ける。（ヘ）Ｕ字型連結ピン（７）を引っ張って、水平側の屋根勾配対応用ピン受溝にワンタッチで結ぶことで、簡単に屋根勾配に合わせる事ができる。（ト）本装置の先に，ロープを取り付ける長穴（１４）を設ける。（チ）足場板の下に本装置を２個以上取り付けて、屋根の上で使用する。  以上の構成で、本体の水平側Ｕ字型鋼の上に足場板を取り付け、足場板を屋根上に水平に取り付ける事ができる装置。【０００９】  屋根上足場板水平取付装置を屋根材料等に応じて長く大きく加工し、水平側のＵ字型鋼（１）の上面にコンパネ板（１３）を足場板押さえボルト（４）で取り付けて使用する屋根材料用ステージ板を水平に取付る装置。
【実施例】
【００１０】  足場板及び屋根材料用ステージ板の下に屋根勾配に合わせた屋根足場板及び屋根材料用ステージ板水平取付装置を２箇所以上取り付け屋根に配置する。又屋根に２〜３列の足場板を配置すれば、より安全で安心して作業に専念することができます。【００１１】  足場板又は屋根材料用ステージ板を屋根にセットする時は滑り止めの為に、本装置の先の長穴に、ロープを結んで屋根回りの組足場、又は屋根の反対側の軒下や樹木などに結びつける。【００１２】  屋根足場板水平取付装置に取り付けた滑り防止ロープへ、身に付けた安全帯を繋ぐことにより安全の確保（転落事故の防止）をする。
【産業上の利用分野】
【００１３】  本発明は屋根の工事作業及び既設屋根の点検修理作業に対しての安全設備として製造、販売する産業分野で利用することができる。
【図面の簡単な説明】
【００１４】
【図１】本発明の実施の形態に係わる屋根足場板水平取付装置の斜視図
【図２】本発明の実施の形態に係わる屋根材料用ステージ板水平取付装置の斜視図
【符号の説明】
【００１５】    １          水平側Ｕ字型鋼    ２          屋根勾配側Ｕ字型鋼    ３Ａ．３Ｂ  可動ピン    ４          足場板押さえボルト    ５          足場板押さえ金具    ６          ピン受溝加工板    ７          Ｕ字型連結ピン    ８          弾性部材    ９          半月（Ｕ型鋼）自在プレート：小  １０          半月（Ｕ型鋼）自在プレート：大  １１          滑り止め部材  １２          屋根足場板  １３          コンパネ板  １４          長穴
【図１】
2006144530.tif 000003
【図２】
2006144530.tif 000004